(57)【要約】【課題】カラーフィルタにおいて、色差の視野角の偏りを低減することができるようにする。【解決手段】カラーフィルタ層１７は、互いに透過波長帯域が異なり一方向に長く延びた第１着色層１７ｃ、第２着色層１７ｍ、第３着色層１７ｙが、それぞれの長手方向を配列面上におけるＸ方向に合わせた状態でＸ方向と交差するＹ方向に配列されている第１のフィルタ部１７Ｘと、第１のフィルタ部１７Ｘと隣り合って配置され、第１着色層１７ｃ、第２着色層１７ｍ、第３着色層１７ｙが、それぞれの長手方向を配列面上におけるＹ方向に合わせた状態でＸ方向に配列されている第２のフィルタ部１７Ｙと、を備える。【選択図】図２
2018022063.tif 000002
【特許請求の範囲】
【請求項１】
互いに透過波長帯域が異なり一方向に長く延びた複数の着色層が、それぞれの長手方向を配列面上における第１の方向に合わせた状態で前記第１の方向と交差する第２の方向に配列されている第１のフィルタ部と、
前記第１のフィルタ部と隣り合って配置され、前記複数の着色層が、それぞれの長手方向を配列面上における前記第２の方向に合わせた状態で前記第１の方向に配列されている第２のフィルタ部と、
を備える、カラーフィルタ。
【請求項２】
前記第１のフィルタ部および前記第２のフィルタ部における前記複数の着色層は、互いに異なる色に着色されている、
請求項１に記載のカラーフィルタ。
【請求項３】
前記第１のフィルタ部および前記第２のフィルタ部は、それぞれ複数設けられ、前記第１の方向と前記第２の方向とにおいて、交互に隣り合って配置されている、
請求項１または２に記載のカラーフィルタ。
【請求項４】
前記第１の方向および前記第２の方向は、互いに直交する方向である、
請求項１〜３のいずれか１項に記載のカラーフィルタ。
【請求項５】
請求項１〜４のいずれか１項に記載のカラーフィルタと、
前記カラーフィルタの前記第１のフィルタ部および前記第２のフィルタ部における前記複数の着色層にそれぞれ対向して配置され、反射率が独立に変更可能とされた複数の反射型表示部と、
を備える、反射型表示装置。
【請求項６】
前記第１のフィルタ部および前記第２のフィルタ部は、前記複数の反射型表示部におけるカラー表示単位である画素を単位として配置されている、
請求項５に記載の反射型表示装置。
【請求項７】
前記第１のフィルタ部および前記第２のフィルタ部の少なくとも一方は、前記複数の反射型表示部におけるカラー表示単位である画素が複数隣接する画素群を単位として配置されている、
請求項５に記載の反射型表示装置。
【請求項８】
前記第１のフィルタ部および前記第２のフィルタ部は、前記画素における前記反射型表示部のうちの少なくとも１つに対向して非着色領域が形成されている、
請求項６または７に記載の反射型表示装置。
【請求項９】
前記カラーフィルタと前記複数の反射型表示部との間に配置された光透過層をさらに備える、
請求項５〜８のいずれか１項に記載の反射型表示装置。
【発明の詳細な説明】
【技術分野】
【０００１】
本発明は、カラーフィルタおよび反射型表示装置に関する。
【背景技術】
【０００２】
表示装置として、表示単位ごとに透過率または反射率を変えることができる表示部と、表示部の表示単位ごとに、着色層が対向して配置されたカラーフィルタとを備える透過型または反射型の表示装置が知られている。
例えば、透過型表示装置として、バックライトを使用した透過型液晶表示装置が知られている。透過型液晶表示装置は、使用者がカラーフィルタを透過した光を直接見ることになるため、使用者の目にかかる負担が大きく、使用者が表示画面を長時間見続ける用途には適していない。
これに対して、反射型表示装置は、例えば、カラーフィルタに入射する自然光などの外光を、カラーフィルタに対向された反射型表示部によって反射することで、カラー表示が行われる。このため、反射型表示装置は、透過型表示装置に比べると使用者の目にかかる負担が小さくなり、使用者が表示画面を長時間見続ける作業により適している。反射型表示装置は、表示用光源を内蔵しなくても構成できるため、電力消費も少ない。
反射型表示装置の例として、例えば、電子泳動方式、ツイストボール方式などの反射型表示部を備えた装置が提案されている。このような反射型表示装置は、印刷された紙面と同様に外光の反射光によって文字や画像を表示するため、紙表示媒体に近い表示装置として注目されている。
【０００３】
例えば、特許文献１には、少なくとも一方が透明な一対の基板間に、電界の印加により移動または回転する粒子を含む表示体を配置した多色表示パネルにおいて、一対の基板の少なくとも一方の透明な基板上に、カラーフィルタを形成した多色表示パネルが提案されている。
特許文献１には、カラーフィルタの構成として、三原色に着色された正方形状の３つの着色層が正方格子状に配列された構成と、三原色に着色され、一方向に延びた細長いストライプ状の着色層が配列された構成と、が記載されている。
【先行技術文献】
【特許文献】
【０００４】
【特許文献１】特開２００３−１６１９６４号公報
【発明の概要】
【発明が解決しようとする課題】
【０００５】
しかしながら、上記のような従来のカラーフィルタおよび反射型表示装置には以下のような問題がある。
反射型表示装置において、カラーフィルタが、三原色に着色された正方形状の３つの着色層が正方格子状に配列された構成（以下、正方格子配列と表記する）を有する場合、単位画素が、三原色の３つの着色層と、非着色層とからなる。非着色層は着色層を通さない外光を反射することができるため、明るい表示画面が得られる。しかし、単位画素において、着色層が占める面積が、非着色層の分、低下するため、表示色の彩度が劣ってしまうという問題がある。
これに対して、カラーフィルタが三原色に着色された細長い着色層がストライプ状に配列された構成（以下、ストライプ配列と表記する）を有する場合、明るさは低下するものの、単位画素における着色層の相対的な面積が大きくなる。このため、ストライプ配列では、正方格子配列に比べて、高彩度の表示が可能となり、高品質のカラー表示が行える。
【０００６】
しかし、ストライプ配列の場合には、各着色層の長手方向と、これと直交する方向とでは、色差等の表示色特性が許容範囲となる視野角の大きさが異なるという問題がある。すなわち、表示画面の法線を含み各着色層に長手方向に平行に切った断面（では、視野角は大きいのに対して、表示画面の法線を含み各着色層に長手方向に直交する断面では、視野角が小さくなる。
すなわち、表示画面を見る方向によっては、色差が大きくなって、色再現性が悪化するという問題がある。
【０００７】
本発明は、上記問題点に鑑みてなされたものであり、色差に関する視野角の偏りを低減することができるカラーフィルタおよび反射型表示装置を提供することを目的とする。
【課題を解決するための手段】
【０００８】
上記の課題を解決するために、本発明の第１の態様のカラーフィルタは、互いに透過波長帯域が異なり一方向に長く延びた複数の着色層が、それぞれの長手方向を配列面上における第１の方向に合わせた状態で前記第１の方向と交差する第２の方向に配列されている第１のフィルタ部と、前記第１のフィルタ部と隣り合って配置され、前記複数の着色層が、それぞれの長手方向を配列面上における前記第２の方向に合わせた状態で前記第１の方向に配列されている第２のフィルタ部と、を備える。
【０００９】
上記カラーフィルタにおいては、前記第１のフィルタ部および前記第２のフィルタ部における前記複数の着色層は、互いに異なる色に着色されていてもよい。
【００１０】
上記カラーフィルタにおいては、前記第１のフィルタ部および前記第２のフィルタ部は、それぞれ複数設けられ、前記第１の方向と前記第２の方向とにおいて、交互に隣り合って配置されていてもよい。
【００１１】
上記カラーフィルタにおいては、前記第１の方向および前記第２の方向は、互いに直交する方向であってもよい。
【００１２】
本発明の第２の態様の反射型表示装置は、上記カラーフィルタと、前記カラーフィルタの前記第１のフィルタ部および前記第２のフィルタ部における前記複数の着色層にそれぞれ対向して配置され、反射率が独立に変更可能とされた複数の反射型表示部と、を備える。
【００１３】
上記反射型表示装置においては、前記第１のフィルタ部および前記第２のフィルタ部は、前記複数の反射型表示部におけるカラー表示単位である画素を単位として配置されていてもよい。
【００１４】
上記反射型表示装置においては、前記第１のフィルタ部および前記第２のフィルタ部の少なくとも一方は、前記複数の反射型表示部におけるカラー表示単位である画素が複数隣接する画素群を単位として配置されていてもよい。
【００１５】
上記反射型表示装置においては、前記第１のフィルタ部および前記第２のフィルタ部は、前記画素における前記反射型表示部のうちの少なくとも１つに対向して非着色領域が形成されていてもよい。
【００１６】
上記反射型表示装置においては、前記カラーフィルタと前記複数の反射型表示部との間に配置された光透過層をさらに備えてもよい。
【発明の効果】
【００１７】
本発明のカラーフィルタおよび反射型表示装置によれば、色差に関する視野角の偏りを低減することができるという効果を奏する。
【図面の簡単な説明】
【００１８】
【図１】本発明の第１の実施形態の反射型表示装置の主要部の構成を示す模式的な縦断面図である。
【図２】本発明の第１の実施形態のカラーフィルタの配列を示す模式的な平面図である。
【図３】本発明の第１の実施形態のカラーフィルタおよび反射型表示装置の作用を説明する模式図である。
【図４】本発明の第１の実施形態のカラーフィルタおよび反射型表示装置の作用を説明する模式図である。
【図５】本発明の第１の実施形態の変形例（第１変形例）の反射型表示装置の主要部の構成を示す模式的な平面図である。
【図６】本発明の第１の実施形態の変形例（第２変形例）の反射型表示装置の主要部の構成を示す模式的な平面図である。
【図７】本発明の第１の実施形態の変形例（第３変形例）の反射型表示装置の主要部の構成を示す模式的な平面図である。
【図８】本発明の第１の実施形態の変形例（第４変形例）の反射型表示装置の主要部の構成を示す模式的な平面図である。
【図９】本発明の第２の実施形態の反射型表示装置の主要部の構成を示す模式的な平面図である。
【発明を実施するための形態】
【００１９】
以下では、本発明の実施形態について添付図面を参照して説明する。すべての図面において、実施形態が異なる場合であっても、同一または相当する部材には同一の符号を付し、共通する説明は省略する。
【００２０】
［第１の実施形態］
本発明の第１の実施形態のカラーフィルタおよび反射型表示装置について説明する。
図１は、本発明の第１の実施形態の反射型表示装置の主要部の構成を示す模式的な縦断面図である。図２は、本発明の第１の実施形態のカラーフィルタの配列を示す模式的な平面図である。
【００２１】
図１に主要部の構成を示すように、本実施形態の反射型表示パネル１（反射型表示装置）は、基板１０、第１の電極層１１、接着層１２、反射表示層１３（複数の反射型表示部）、第２の電極層１４、基材１５、インク定着層１６、カラーフィルタ層１７（カラーフィルタ）、および保護層１８が、この順に積層されて構成されている。
反射型表示パネル１は、外部からの入射光をカラーフィルタ層１７で第１色、第２色、および第３色の三色に分割し、画像信号に基づいて駆動される反射表示層１３により三色の反射光量を調整することによってフルカラー画像を表示することができる反射型表示装置である。
【００２２】
基板１０は、板状の絶縁体で構成される。基板１０の材質は、例えば、ガラスなどが用いられてもよい。
基板１０の表面には、第１の電極層１１が積層されている。
【００２３】
第１の電極層１１は、後述する反射表示層１３の反射率を変える駆動電圧を反射表示層１３に印加する。第１の電極層１１は、本実施形態では、表示単位である画素内のサブ画素ごとに電圧を印加できるように、サブ画素の形状、配置に対応してパターニングされている。
第１の電極層１１は、各画素内において第１色、第２色、第３色の階調を制御するために、後述する反射表示層１３を駆動する駆動電圧を印加する駆動電極である。第１の電極層１１は、第１色用サブ画素電極１１ｃ、第２色用サブ画素電極１１ｍ、第３色用サブ画素電極１１ｙをそれぞれ複数備える。以下では、簡単のため、第１色用サブ画素電極１１ｃ、第２色用サブ画素電極１１ｍ、第３色用サブ画素電極１１ｙを総称する場合、各駆動電極あるいは各サブ画素電極という場合がある。
第１の電極層１１は、例えば、ＩＴＯ等の酸化インジウム系、酸化スズ系、酸化亜鉛系のような透明性を有する導電性酸化物、又はカーボンナノチューブやチオフェン系化合物などによって形成されてもよい。
【００２４】
第１の電極層１１上には、接着層１２を介して反射表示層１３が積層されている。
接着層１２の材質は、第１の電極層１１と反射表示層１３の表面１３ｂとを互いに接着することができれば、特に限定されない。
【００２５】
反射表示層１３は、層厚方向に電界が印加されることにより、少なくとも白と黒とを切り替えて表示することができる適宜の層構成が用いられる。
本実施形態では、反射表示層１３は、電界の大きさに応じて反射率が最小値（黒）から最大値（白）に漸次変化する構成が用いられている。このため、反射表示層１３は、白黒の階調表現が可能になっている。
反射表示層１３の反射率は、表面１３ｂと反対側の表面１３ａにおいて変化すればよい。
例えば、反射表示層１３は、反射型液晶方式、コレスティック液晶方式、電気泳動方式（マイクロカプセル方式等）、マイクロカップ方式、エレクトロクロミック方式等から選ばれた方式の構成が用いられてもよい。
【００２６】
第２の電極層１４は、反射表示層１３の表面１３ａに積層されている透明電極である。
本実施形態では、第２の電極層１４は、第１の電極層１１の全体を覆う範囲に配置されている。
第１の電極層１１における各駆動電極と、第２の電極層１４とは、図示略のスイッチング素子を介して図示略の駆動電源に接続されている。このため、画像信号に応じてスイッチング素子が駆動されると、画像信号に応じた駆動電圧による電界が各駆動電極と第２の電極層１４との間に発生するようになっている。
第２の電極層１４の材質としては、例えば、酸化インジウム錫（ＩＴＯ）などの導電性を有する透明材料が用いられてもよい。
【００２７】
基材１５は、第２の電極層１４上に積層された光透過性の層状部である。
基材１５の材質としては、例えば、ガラス基材が用いられてもよい。基材１５の材質としては、例えば、ＰＥＴ（ポリエチレンテレフタレート）フィルム、ＰＥＮ（ポリエチレンナフタレート）フィルム等のフィルム基材が用いられてもよい。
【００２８】
インク定着層１６は、後述するカラーフィルタ層１７を基材１５上に定着するために形成された光透過性を有する層状部である。本実施形態では、反射型表示パネル１がインク定着層１６を備える場合の例で説明するが、後述するカラーフィルタ層１７を基材１５上に直接形成する場合には、インク定着層１６は省略されてもよい。
インク定着層１６は、基材１５において第２の電極層１４と接する表面と反対側の表面１５ａ上に積層されている。
インク定着層１６の材質は、基材１５および後述するカラーフィルタ層１７の材質に応じて適宜の材質が用いられる。
インク定着層１６の材質の例としては、例えば、ウレタン樹脂、ポリエステル樹脂、アクリル樹脂、ビニルアルコール樹脂等が挙げられる。
インク定着層１６は、後述するカラーフィルタ層１７を形成する各インクの溶媒の吸収性を高めるため、合成シリカやアルミナなどの多孔質物質を含有していてもよい。
【００２９】
インク定着層１６の形成方法は特に限定されない。
例えば、インク定着層１６は、インク定着層１６を形成するためインク定着層形成用塗液が基材１５上に塗工された後、乾燥されることによって、形成されてもよい。
インク定着層１６が枚葉処理によって形成される場合、インク定着層形成用塗液は、例えば、スクリーン印刷法、オフセット印刷法、スピンコート法、およびダイによる間歇塗工などによって塗工されてもよい。
インク定着層１６がロール・トゥ・ロールによる連続処理によって形成される場合、インク定着層形成用塗液は、例えば、ダイコーティング、コンマコート、カーテンコート、グラビアコートなどによって塗工されてもよい。
【００３０】
基材１５上に塗工されたインク定着層形成用塗液の乾燥方法としては、例えば、加熱、送風、減圧等が用いられてもよい。
後述するように、本実施形態では、基板１０上に、第１の電極層１１、接着層１２、反射表示層１３、第２の電極層１４、および基材１５が積層された後、インク定着層１６が形成される。インク定着層形成用塗液の乾燥工程においては、これら各層に許容範囲外の熱変形が生じない程度の温度環境で行われる。例えば、基板１０および基材１５の少なくとも一方に熱可塑性樹脂フィルムが用いられる場合には、この熱可塑性樹脂フィルムのガラス転移点以下の温度で乾燥工程が行われることがより好ましい。
【００３１】
カラーフィルタ層１７は、インク定着層１６の表面１６ａ上に積層されている。
カラーフィルタ層１７は、第１着色層１７ｃ、第２着色層１７ｍ、および第３着色層１７ｙをそれぞれ複数備える。
第１着色層１７ｃは、第１色の波長成分のみを透過する透過波長帯域を有する。第２着色層１７ｍは、第２色の波長成分のみを透過する透過波長帯域を有する。第３着色層１７ｙは、第３色の波長成分のみを透過する透過波長帯域を有する。
第１色、第２色、および第３色は、互いに波長帯域が異なり、かつこれらの組み合わせによってフルカラー表示が可能であれば特に限定されない。
第１色、第２色、および第３色の組み合わせは、各色の透過光が混合したとき白色光になるように選ばれることが好ましい。
例えば、第１色、第２色、および第３色は、赤、緑、および青とされてもよい。
例えば、第１色、第２色、および第３色は、シアン、マゼンタ、イエローとされてもよい。
以下では、簡単のため、第１着色層１７ｃ、第２着色層１７ｍ、および第３着色層１７ｙを総称する場合、各着色層と表記する場合がある。
【００３２】
第１着色層１７ｃ、第２着色層１７ｍ、および第３着色層１７ｙは、反射表示層１３を間に挟んで、第１色用サブ画素電極１１ｃ、第２色用サブ画素電極１１ｍ、および第３色用サブ画素電極１１ｙと対向するように配置されている。
本実施形態では、各着色層と反射表示層１３の表面１３ａとの間は、第２の電極層１４、基材１５、およびインク定着層１６が積層された光透過層１９によって離隔されている。
光透過層１９は、第１色、第２色、および第３色の光を良好に透過することができる。
【００３３】
カラーフィルタ層１７と反射表示層１３との距離（光透過層１９の厚さ）は、後述する視野角特性をよりよくするためには、なるべく短い方がよい。
例えば、光透過層１９の厚さは、光学的距離（光路長）で、５μｍ以上２００μｍ以下とされてもよい。光透過層１９の厚さは、光学的距離で、１０μｍ以上１５０μｍ以下とされることがより好ましい。
【００３４】
次に、第１の電極層１１およびカラーフィルタ層１７の平面視の配置パターンについて説明する。
図２は、反射型表示パネル１の一部を、保護層１８を省略して示した模式的な平面図になっている。図２におけるＡ−Ａ断面は、図１において保護層１８を除去したのと同様の断面になる。
【００３５】
図２に示すように、第１色用サブ画素電極１１ｃ、第２色用サブ画素電極１１ｍ、および第３色用サブ画素電極１１ｙの平面視の外形は、いずれも一方向に長く延びた矩形状である。第１色用サブ画素電極１１ｃ、第２色用サブ画素電極１１ｍ、および第３色用サブ画素電極１１ｙにおける各長手幅および各短手幅は、互いに異なっていてもよい。ただし、図２には、第１色用サブ画素電極１１ｃ、第２色用サブ画素電極１１ｍ、および第３色用サブ画素電極１１ｙにおける各長手幅および各短手幅が互いに等しい場合の例が図示されている。
ただし、各サブ画素電極は、例えば、スイッチング素子の配置位置などによっては、矩形の一部に、凹部または凸部が形成された擬似矩形状の形状であってもよい。
矩形状であれ、擬似矩形状であれ、各サブ画素電極は、全体的な延在方向を表す長手方向と、これに直交する短手方向とが区別できるものとする。
【００３６】
図２に模式的に示すように、第１着色層１７ｃ、第２着色層１７ｍ、および第３着色層１７ｙの平面視の外形は、いずれも一方向に長く延びた矩形状である。第１着色層１７ｃ、第２着色層１７ｍ、および第３着色層１７ｙにおける各長手幅および各短手幅は、互いに異なっていてもよい。ただし、図２には、第１着色層１７ｃ、第２着色層１７ｍ、および第３着色層１７ｙにおける各長手幅および各短手幅が互いに等しい場合の例が図示されている。
【００３７】
第１色用サブ画素電極１１ｃ（第２色用サブ画素電極１１ｍ、第３色用サブ画素電極１１ｙ）の平面視の外形と、第１着色層１７ｃ（第２着色層１７ｍ、第３着色層１７ｙ）の平面視の外形とは、同じであってもよいし、互いに異なっていてもよい。ただし、それぞれの長手方向を互いに合わせて対向させたときに、互いに対向する面積ができるだけ広くなる形状であることが好ましい。
【００３８】
本実施形態では、基板１０上においてＸ方向およびＹ方向に区画された矩形状の領域には、第１色用サブ画素電極１１ｃ、第２色用サブ画素電極１１ｍ、および第３色用サブ画素電極１１ｙが、それぞれの長手方向を揃えて、それぞれの短手方向に１つずつ配列された第１の画素ＰＥＸと第２の画素ＰＥＹとが構成されている。
第１の画素ＰＥＸと第２の画素ＰＥＹとは、画像信号に応じたフルカラー表示を行うためのカラー表示単位であり、反射表示層１３に対して駆動電圧を印加する最小単位の電極群を含んでいる。
【００３９】
第１の画素ＰＥＸでは、第１色用サブ画素電極１１ｃ、第２色用サブ画素電極１１ｍ、および第３色用サブ画素電極１１ｙの各長手方向が図示のＸ方向（図示左から右に向かう方向、第１の方向）に延びている。
第２の画素ＰＥＹでは、第１色用サブ画素電極１１ｃ、第２色用サブ画素電極１１ｍ、および第３色用サブ画素電極１１ｙの各長手方向が図示のＸ方向に直交するＹ方向（図示上から下に向かう方向、第２の方向）に延びている。
第１の画素ＰＥＸと第２の画素ＰＥＹとは、互いに同形状の矩形領域の範囲に配置されている。この矩形領域は長方形でもよいし正方形でもよいが、Ｘ方向における長さおよびＹ方向における長さは、反射型表示パネル１内では一定である。図２には、一例として、矩形領域が正方形の場合の例が図示されている。
【００４０】
各第１の画素ＰＥＸおよび各第２の画素ＰＥＹにおいて、第１色用サブ画素電極１１ｃ、第２色用サブ画素電極１１ｍ、および第３色用サブ画素電極１１ｙがそれぞれ占める面積は、色ごとに異なっていてもよいが、本実施形態では、一例として、互いに等しい。各サブ画素電極は、第１の画素ＰＥＸ（第２の画素ＰＥＹ）に対向する反射表示層１３の矩形状の領域を、３等分して駆動する駆動電圧を印加できるようになっている。
【００４１】
第１の画素ＰＥＸと第２の画素ＰＥＹとは複数設けられている。図２は、反射型表示パネル１の平面視の一部を示している。第１の画素ＰＥＸと第２の画素ＰＥＹとの個数、大きさは、必要な表示画面サイズ、表示解像度に応じて適宜に設定される。
各第１の画素ＰＥＸおよび各第２の画素ＰＥＹは、Ｘ方向およびＹ方向において、それぞれ一定ピッチで隙間なく矩形格子状に配列されている。Ｘ方向およびＹ方向のそれぞれにおいて、第１の画素ＰＥＸと第２の画素ＰＥＹとは、交互に配列されている。
【００４２】
インク定着層１６上においてＸ方向およびＹ方向に区画された矩形状の領域には、第１着色層１７ｃ、第２着色層１７ｍ、および第３着色層１７ｙが、それぞれの長手方向を揃えて、それぞれの短手方向に１つずつ配列された第１のフィルタ部１７Ｘと第２のフィルタ部１７Ｙとが構成されている。
第１のフィルタ部１７Ｘでは、第１着色層１７ｃ、第２着色層１７ｍ、および第３着色層１７ｙの各長手方向が図示のＸ方向に延びている。
第２のフィルタ部１７Ｙでは、第１着色層１７ｃ、第２着色層１７ｍ、および第３着色層１７ｙの各長手方向が図示のＹ方向に延びている。
本実施形態では、第１のフィルタ部１７Ｘおよび第２のフィルタ部１７Ｙは、それぞれ第１の画素ＰＥＸおよび第２の画素ＰＥＹと同数形成されている。
各第１のフィルタ部１７Ｘ（各第２のフィルタ部１７Ｙ）は、各第１の画素ＰＥＸ（各第２の画素ＰＥＹ）と互いに重なる範囲にそれぞれ配置されている。
【００４３】
各第１のフィルタ部１７Ｘ（各第２のフィルタ部１７Ｙ）において、第１着色層１７ｃ、第２着色層１７ｍ、および第３着色層１７ｙは、それぞれ第１色用サブ画素電極１１ｃ、第２色用サブ画素電極１１ｍ、および第３色用サブ画素電極１１ｙと重なるように配置されている。
本実施形態では、第１着色層１７ｃ、第２着色層１７ｍ、および第３着色層１７ｙは、それぞれ第１色用サブ画素電極１１ｃ、第２色用サブ画素電極１１ｍ、および第３色用サブ画素電極１１ｙにおける駆動電圧の印加範囲の内側にそれぞれ重なるように配置されている。
【００４４】
第１の画素ＰＥＸ（第２の画素ＰＥＹ）の矩形領域内において第１着色層１７ｃ、第２着色層１７ｍ、および第３着色層１７ｙが占める着色部面積率は、２５％以上１００％以下であってもよい。
着色部面積率が２５％未満であると、第１着色層１７ｃ、第２着色層１７ｍ、および第３着色層１７ｙを透過する光量が低下することで、色表示時の鮮やかさ（彩度）が低くなりすぎるおそれがある。
着色部面積率は高いほどよいが、着色部面積率が１００％に近くなると、カラーフィルタ層１７の製造方法によっては隣り合う着色層に混色が起こりやすくなる。このため、着色部面積率は、製造工程において混色が起こらない着色部面積率にすることがより好ましい。例えば、インクジェット印刷法によってカラーフィルタ層１７を形成する場合には、面積率は、９９％以下とされてもよい。
【００４５】
以上に説明したように、各第１のフィルタ部１７Ｘおよび各第２のフィルタ部１７Ｙは、各第１の画素ＰＥＸおよび各第２の画素ＰＥＹと同様に、Ｘ方向およびＹ方向において、それぞれ一定ピッチで格子状に配列されている。Ｘ方向およびＹ方向のそれぞれにおいて、第１のフィルタ部１７Ｘと第２のフィルタ部１７Ｙとは、交互に配列されている。
【００４６】
カラーフィルタ層１７は、例えば、透過型液晶表示装置用のカラーフィルタにおいて行われているように、着色レジスト膜をフォトリソグラフィーによってパターニングする方法によって形成されてもよい。この場合には、インク定着層１６を設けることなく基材１５上に、直接的にカラーフィルタ層１７を形成することも可能である。
【００４７】
カラーフィルタ層１７は、例えば、各着色層の配列面である表面１６ａに各着色層の色に対応するインクを塗布し、固化させることによって形成されてもよい。
この場合、インクを第１着色層１７ｃ、第２着色層１７ｍ、および第３着色層１７ｙの各形成領域に塗布する塗り分けが行われることによって、ブラックマトリックスを形成することなくカラーフィルタ層１７が形成される。このカラーフィルタ層１７は、ブラックマトリックスによる光量損失がなくなるため、カラーフィルタ層１７の透過光量がより向上する。
【００４８】
カラーフィルタ層１７をインク塗布によって形成する場合、インク塗布方法は、インクの塗り分けが可能な適宜のインク塗布方法が用いられる。
カラーフィルタ層１７の形成に好適なインク塗布方法の例としては、例えば、スクリーン印刷法、オフセット印刷法、インクジェット印刷法などが挙げられる。特に、インクジェット印刷法は、第１の電極層１１に対するカラーフィルタ層１７の配置位置の位置合わせがより容易となり、生産性も高い点で、より好ましい。
インク定着層１６上に塗工された後のインクの固化方法の例としては、加熱、送風、減圧などによって乾燥させる方法が挙げられる。例えば、インクがＵＶインク等のエネルギー線硬化型インクの場合には、ＵＶ光等のエネルギー線を照射する方法が挙げられる。
特に、ＵＶインクが使用される場合、インク定着層１６を設けず、基材１５の表面にＵＶインクを直接塗布しても、カラーフィルタ層１７を形成することが可能である。
【００４９】
以下では、カラーフィルタ層１７をインクジェット印刷法によって形成する場合の製造方法およびインクについて詳しく説明する。
インクジェット印刷法に用いるインクジェット装置としては、インク吐出方法の相違によりピエゾ変換方式と熱変換方式とがあるが、ピエゾ変換方式のインクジェット装置を用いることがより好ましい。
インクジェット装置のインクの粒子化周波数は５ｋＨｚ以上１００ｋＨｚ以下とされてもよい。
インクジェット装置のノズル径は、５μｍ以上８０μｍ以下とされてもよい。
インクジェット装置は、インクジェットヘッドを複数個備え、１つのインクジェットヘッドには６０個〜５００個程度ノズルが組み込まれていることがより好ましい。
【００５０】
カラーフィルタ層１７を形成するインク（以下、単に、インクと表記する）としては、例えば、着色剤、溶剤、バインダー樹脂、および分散剤が混合された構成が用いられてもよい。
【００５１】
インクに含有する着色剤としては、有機顔料、無機顔料、染料などを問わず色素全般が使用できる。着色剤としては、有機顔料がより好ましく、耐光性に優れるものを用いることがさらに好ましい。
【００５２】
着色剤の具体例としては、例えば、Ｃ．Ｉ．Ｐｉｇｍｅｎｔ  Ｒｅｄ  ９、１９、３８、４３、９７、１２２、１２３、１４４、１４９、１６６、１６８、１７７、１７９、１８０、１９２、２０８、２１５、２１６、２１７、２２０、２２３、２２４、２２６、２２７、２２８、２４０、２５４、Ｐｉｇｍｅｎｔ  Ｂｌｕｅ１５、１５：３、１５：６、１６、２２、２９、６０、６４、Ｃ．Ｉ．Ｐｉｇｍｅｎｔ  Ｇｒｅｅｎ  ７、３６、５６、５８、５９、Ｃ．Ｉ．Ｐｉｇｍｅｎｔ  Ｙｅｌｌｏｗ  ２０、２４、８６、８１、８３、９３、１０８、１０９、１１０、１１７、１２５、１３７、１３８、１３９、１４７、１４８、１５０、１５３、１５４、１６６、１６８、１８５、Ｃ．Ｉ．Ｐｉｇｍｅｎｔ  Ｏｒａｎｇｅ  ３６、７３、Ｃ．Ｉ．Ｐｉｇｍｅｎｔ  Ｖｉｏｌｅｔ２３等が挙げられる。
着色剤には、必要な色相が得られるように、２種以上の材料が混合されてもよい。
【００５３】
インクに含有する溶剤としては、インクジェット印刷における適性を考慮し、表面張力が３５ｍＮ／ｍ以下、かつ沸点が１３０℃以上の溶剤が用いられてもよい。
インクの表面張力が３５ｍＮ／ｍより大きいとインク吐出時のドット形状の安定性が悪くなるおそれがある。
インクの沸点が１３０℃未満であるとノズル近傍での乾燥性が著しく高くなるおそれがある。このため、ノズル詰まり等を起こすおそれがある。
【００５４】
溶剤の具体例としては、例えば、２−メトキシエタノール、２−エトキシエタノール、２−ブトキシエタノール、２−エトキシエチルアセテート、２−ブトキシエチルアセテート、２−メトキシエチルアセテート、２−エトキシエチルエーテル、２−（２−エトキシエトキシ）エタノール、２−（２−ブトキシエトキシ）エタノール、２−（２−エトキシエトキシ）エチルアセテート、２−（２−ブトキシエトキシ）エチルアセテート、２−フェノキシエタノール、ジエチレングリコールジメチルエーテル等が挙げられる。
溶剤は、必要に応じて２種類以上の溶剤が混合して用いられてもよい。
【００５５】
インクに含有するバインダー樹脂の例としては、例えば、アクリル系樹脂、ノボラック系樹脂、メラミン系樹脂、エポキシ系樹脂等が挙げられる。バインダー樹脂は、１種類の樹脂が単独でも用いられてもよいし、２種類以上が混合して用いられてもよい。
【００５６】
アクリル系樹脂の例としては、例えば、（メタ）アクリル酸、メチル（メタ）アクリレート、エチル（メタ）アクリレート、プロピル（メタ）アクリレート、ブチル（メタ）アクリレート、ベンジル（メタ）アクリレート、ラウリル（メタ）アクリレート、ヒドロキシエチル（メタ）アクリレート、ヒドロキシプロピル（メタ）アクリレート、エトキシエチル（メタ）アクリレート、グリシジル（メタ）アクリレート等のアルキル（メタ）アクリレートや、シクロヘキシル（メタ）アクリレート、イソボルニル（メタ）アクリレート、ジシクロペンテニル（メタ）アクリレート等の脂環式（メタ）アクリレート等の単量体（モノマー）の重合物が挙げられる。
これらのモノマーは、その１種類が単独で用いられてもよいし、２種以上が併用されてもよい。さらに、これらアクリレートと共重合可能なスチレン、シクロヘキシルマレイミド、フェニルマレイミド、シクロヘキシルマレイミド、フェニルマレイミド、メチルマレイミド、エチルマレイミド、ｎ−ブチルマレイミド、ラウリルマイレミド等の化合物が共重合された樹脂が用いられてもよい。
【００５７】
アクリル系樹脂には、エチレン性不飽和基が付加されていてもよい。
アクリル系樹脂にエチレン性不飽和基を付加させる方法の例としては、例えば、グリシジルメタクリレート等のエポキシ含有樹脂にアクリル酸等のエチレン性不飽和基とカルボン酸含有化合物を付加する方法、メタアクリル酸等のカルボン酸含有樹脂にグリシジルメタアクリレート等のエポキシ含有アクリレートを付加する方法、ヒドロキシメタアクリレート等の水酸基含有樹脂にメタクリロイルオキシエチルイソシアネート等のイソシアネート基含有アクリレートを付加する方法等が挙げられる。
【００５８】
ノボラック樹脂の例としては、例えば、フェノールノボラック系エポキシ樹脂、クレゾールノボラック系エポキシ樹脂等が挙げられる。
【００５９】
メラミン樹脂の例としては、例えば、アルキル化メラミン樹脂（メチル化メラミン樹脂、ブチル化メラミン樹脂など）、混合エーテル化メラミン樹脂等が挙げられる。メラミン樹脂は、高縮合タイプであってもよいし、低縮合タイプであってもよい。
メラミン樹脂は、１種類が単独で用いられてもよいし、２種類以上が混合して用いられてもよい。メラミン樹脂には、必要に応じて、さらにエポキシ樹脂が混合されてもよい。
【００６０】
エポキシ樹脂の例としては、例えば、グリセロール・ポリグリシジルエーテル、トリメチロールプロパン・ポリグリシジルエーテル、レゾルシン・ジグリシジルエーテル、ネオペンチルグリコール・ジグリシジルエーテル、１，６−ヘキサンジオール・ジグリシジルエーテル、エチレングリコール（ポリエチレングリコール）・ジグリシジルエーテル等が挙げられる。
エポキシ樹脂は、１種類が単独で用いられてもよいし、２種類以上が混合して用いられてもよい。
【００６１】
インクに含有するバインダー樹脂の質量平均分子量は、２００以上１００００以下の範囲内であってもよい。バインダー樹脂の質量平均分子量は、３００以上８０００以下の範囲内であることがより好ましい。
バインダー樹脂の質量平均分子量が１００００を超えると、カラーフィルタ層１７の乾燥工程時にインクの流動性が不足し、パターン平坦性が劣ってしまうおそれがある。
バインダー樹脂の質量平均分子量が３００未満では、耐溶剤性、耐熱性などの物性を劣ってしまうおそれがある。
【００６２】
インクに含有する分散剤は、溶剤への顔料の分散性を向上させる。
分散剤として、例えば、イオン性界面活性剤、非イオン性界面活性剤などが用いられてもよい。
分散剤の具体例としては、例えば、アルキルベンゼンスルホン酸ナトリウム、ポリ脂肪酸塩、脂肪酸塩アルキルリン酸塩、テトラアルキルアンモニウム塩、ポリオキシエチレンアルキルエーテル等が挙げられる。分散剤としては、有機顔料誘導体、ポリエステルなどが用いられてもよい。
分散剤は、１種類が単独で用いられてもよいし、２種類以上が混合して用いられてもよい。
【００６３】
インクの粘度は、１ｍＰａ・ｓ以上２０ｍＰａ・ｓ以下であってもよい。インクの粘度は、５ｍＰａ・ｓ以上１５ｍＰａ・ｓ以下であることがより好ましい。
インクの粘度が２０ｍＰａ・ｓを超えると、インクの吐出時にインクが所定の位置に着弾しない不良や、ノズル詰りといった不良を招くおそれがある。
インクの粘度が１ｍＰａ・ｓ未満であると、インクの吐出時に、飛散しやすくなるおそれがある。
【００６４】
インクにおける着色剤とバインダー樹脂との質量比は、１：９〜１：１の範囲であってもよい。インク中のバインダー樹脂の樹脂量を変えることによってインクの流動性が調整される。インク中のバインダー樹脂の樹脂量を変えることによってインク内の着色剤の濃度バラツキが改善される。
【００６５】
反射型表示パネルは、外光を利用した表示媒体としての利用が一般的である。このため、反射型表示パネルのカラーフィルタの色濃度は、外光を多く入射させて明るい表示画面が得られるように、液晶ディスプレイに代表される透過型表示パネルのカラーフィルタの色濃度よりも低い方がよい。この結果、色再現域に関しては、反射型表示パネルの方が透過型表示パネルよりも狭くなりがちである。
【００６６】
インクの着色剤の１質量部に対してバインダー樹脂が９質量部を超えると、必要な色濃度を得るための塗布量が多くなりすぎるおそれがある。さらに、バインダー樹脂が多くなることでインクの粘度が上昇して、インクの流動性が悪くなる。このため、インク液滴で形成されるドットの中心部に着色剤が集まり易くなり、ドットの周辺部の色濃度が低下しやすくなって、カラーフィルタ層１７の色むらが生じやすくなる。
【００６７】
インクの着色剤の１質量部に対してバインダー樹脂が１質量部よりも少なくなると、インクに含まれる着色剤が相対的に多くなり、色濃度が大きくなる。このため、インクの溶剤（揮発分）の量を増やして希釈するか、もしくはインク吐出量を少量にしてカラーフィルタ層１７を形成する必要が生じる。
例えば、溶剤を増やすと、インクの流動性が大きくなり、かつ、インク吐出量も多くなる。このため、インク液滴で形成されるドットの中心部よりもドットの周辺部に着色剤が集まり易くなり、ドットの中心部の色濃度が低下しやすくなって、カラーフィルタ層１７の色むらが生じやすくなる。
インク吐出量を少量にする場合には、インク液滴によるドット径が小さくなるため、ドット間に隙間が生じやすくなるため、良好なカラーフィルタ層１７が形成しにくくなる。
【００６８】
図１に示すように、保護層１８は、インク定着層１６およびカラーフィルタ層１７を覆うように積層された光透過性を有する層状部である。保護層１８は、カラーフィルタ層１７を覆うことにより、カラーフィルタ層１７を保護する。保護層１８によって、カラーフィルタ層１７が機械的な接触によって損傷したり、汚れが付着したり、吸湿したりすることが防止される。
保護層１８の材質は、例えば、ポリアミド、ポリイミド、ポリウレタン、ポリカーボネート、アクリル系、シリコーン系等の有機樹脂やＳｉ３Ｎ４、ＳｉＯ２，ＳｉＯ、Ａｌ２Ｏ３，Ｔａ２Ｏ３等の無機物などが用いられてもよい。
保護層１８は、カラーフィルタ層１７を形成した後、例えば、スピンコート、ロールコート、印刷法などの塗布法、あるいは蒸着法などにより形成することができる。
【００６９】
次に、本実施形態の反射型表示パネル１の作用について、カラーフィルタ層１７の作用を中心として説明する。
図３は、本発明の第１の実施形態のカラーフィルタおよび反射型表示装置の作用を説明する模式図である。図４は、本発明の第１の実施形態のカラーフィルタおよび反射型表示装置の作用を説明する模式図である。
【００７０】
反射型表示パネル１では、各第１の画素ＰＥＸ、各第２の画素ＰＥＹにおいて、第１の電極層１１と第２の電極層１４との間に電圧が印加されると、それぞれの第１色用サブ画素電極１１ｃ、第２色用サブ画素電極１１ｍ、および第３色用サブ画素電極１１ｙに印加される電圧に応じて、それらに対向する部位の反射表示層１３が、適宜の反射率を備える白、グレー、黒の表示に切り替えられる。
【００７１】
反射表示層１３の第１の電極層１１の駆動単位に対向する部分すべてを白表示とした場合、もしくは反射表示層１３の着色部に対応する部分のみを白表示とした場合、着色部の色相と非着色部の白、もしくは黒色が混ざり合った色となり、着色部の色相に類似した色が表示され、反射表示層１３の着色部に対する部分のみを黒表示とした場合、非着色部を透過した光のみが反射されてくるため、白表示となり、反射表示層１３の第１の電極層１１の駆動単位に対向する部分すべてを黒表示とした場合、全ての光が反射されずに、黒表示となる。
【００７２】
例えば、図３には、第２の画素ＰＥＹにおいて、第２色用サブ画素電極１１ｍに対向する反射表示層１３に白色部１３Ｗが、第１色用サブ画素電極１１ｃ、第３色用サブ画素電極１１ｙに対向する反射表示層１３の部位に黒色部１３Ｂが形成されている場合の例が図示されている。
図３は模式図であるため、白色部１３Ｗ、黒色部１３Ｂは層厚の全体に形成されているように描かれているが、白色部１３Ｗ、黒色部１３Ｂは反射表示層１３の表面１３ａのみあるいは表面１３ａの近傍のみに形成されていてもよい。
【００７３】
反射型表示パネル１には、保護層１８に種々の方向の光が入射する。例えば、反射表示層１３の表面１３ａの法線Ｎに平行な入射光Ｌ０が入射すると、入射光Ｌ０は、第２着色層１７ｍと透過することで、第２着色層１７ｍを透過する第２色成分のみが、反射表示層１３に向かって直進する。以下では、簡単のため、界面における表面反射、光散乱は無視して説明する。
光透過層１９は、白色光を良好に透過する光透過性を有するため、透過率に応じて光量が減衰するのみで、波長成分はほとんど変化しない。
入射光Ｌ０は、白色部１３Ｗに到達すると、法線Ｎに沿って逆方向に反射され、光透過層１９、第２着色層１７ｍを再透過し、第２色成分からなる出射光Ｌ０’として外部に出射される。
一方、入射光Ｌ０は、同様にして第１着色層１７ｃ、第３着色層１７ｙにも入射するが、第１着色層１７ｃ、第３着色層１７ｙに対向する反射表示層１３は、黒色部１３Ｂになっているため、黒色部１３Ｂで吸収されてしまう。
したがって、法線Ｎに沿う方向から見ると、この第２の画素ＰＥＹから出射される光は、第２色の出射光Ｌ０’のみである。例えば、第２色がマゼンタであれば、この第２の画素ＰＥＹの領域の部位の表示色はマゼンタ色になる。
【００７４】
これに対して、法線Ｎを含みＸ方向に切った断面で、法線Ｎに対して角度θだけ傾斜した方向から、この第２の画素ＰＥＹの領域を見る場合について考える。
この場合、図３に示すように、観察者は、例えば、出射光Ｌ１’、Ｌ２’を観察することになる。
【００７５】
出射光Ｌ１’は、観察方向と反対側にθ傾斜した入射光Ｌ１が、白色部１３Ｗで反射された光である。
この場合、入射光Ｌ１は、光路が傾斜している点を除けば、上述の入射光Ｌ０と同様に、保護層１８、第２着色層１７ｍ、光透過層１９をこの順に透過し、白色部１３Ｗで反射され、光透過層１９、第２着色層１７ｍ、保護層１８をこの順に透過した光である。このため、出射光Ｌ１’は、出射光Ｌ０’と同様、第２色の光になる。
【００７６】
出射光Ｌ２’は、第２着色層１７ｍに入射する入射光Ｌ１に平行であって入射光Ｌ１よりも第１着色層１７ｃよりの第２着色層１７ｍに入射する入射光Ｌ２が、白色部１３Ｗで反射された光である。
この場合、入射光Ｌ２は、上述の入射光Ｌ１と同様に、保護層１８、第２着色層１７ｍ、光透過層１９をこの順に透過し、白色部１３Ｗで反射される。しかし、この反射光は、光透過層１９を透過した後、第１着色層１７ｃを透過して、保護層１８から出射される。
このため、出射光Ｌ２’は、第２着色層１７ｍを透過した後、第１着色層１７ｃを透過した光である。例えば、第１色がシアン、第２色がマゼンタの場合、出射光Ｌ２’は、青になる。
同様に、特に図示しないが、第３着色層１７ｙから入射し、白色部１３Ｗで反射されて第２着色層１７ｍを透過した出射光は、第３色がイエローの場合、赤になる。
このように、Ｘ方向において斜め方向から第２の画素ＰＥＹの領域を見ると、マゼンタに一部の領域で発生する青、赤などの光が混じるため、法線Ｎに沿う方向から見る場合に比べて色差が生じることになる。
以上は、反射表示層１３が白色に駆動される場合の例で説明したが、中間色のグレーに駆動される場合でも、法線Ｎに沿う方向から見る場合に比べて色差が生じることは、同様である。
【００７７】
次に、図４に示すように、法線Ｎを含みＸ方向に切った断面で、法線Ｎに対して角度θだけ傾斜した方向から、第１の画素ＰＥＸの領域を見る場合について考える。
この第１の画素ＰＥＸでは、例えば、第２色用サブ画素電極１１ｍに対向する部位に白色部１３Ｗが形成されている。
観察者は、例えば、出射光Ｌ１１’、Ｌ１２’を観察することになる。図示された出射光Ｌ１１’、Ｌ１２’は、Ｘ方向において、図３と同じ距離だけ離れている。しかし、第２着色層１７ｍは、Ｘ方向に沿って延びているため、入射光Ｌ１１、Ｌ１２、出射光Ｌ１１’、Ｌ１２’はいずれも第２着色層１７ｍのみを透過している。このため、出射光Ｌ１１’、Ｌ１２’はいずれも第２色（マゼンタ）であり、色差は生じない。
第２色に他の色が混ざるのは、第２着色層１７ｍの図示左側の端部に入射して左隣の第２の画素ＰＥＹの第３着色層１７ｙから出射する光と、右隣の第２の画素ＰＥＹの第１着色層１７ｃから入射して第２着色層１７ｍの図示右側の端部から出射する光である。
この第１の画素ＰＥＸでは、第２着色層１７ｍがＸ方向に延びているため、第２着色層１７ｍの中間部に入出射する大部分の光は、色差のない第２色の光として出射される。
【００７８】
このように、Ｘ方向において斜め方向から第１の画素ＰＥＸの領域を見ると、Ｘ方向の両端部で色差が生じるが、色差のない光の方が多いため、同方向から第２の画素ＰＥＸの領域を見る場合に比べて色差は小さくなる。
ただし、観察者が見る角度θが大きくなると、相対的に色差を起こす領域が増えていく。
【００７９】
以上、一例として、第２色を表示する場合の例で説明したが、第１色および第３色を含むフルカラー表示の場合の色差に関する視野角特性も同様である。
すなわち、種々の色表示においても、法線Ｎを含みＸ方向に切った断面において、許容範囲の色差が得られる視野角は、第２の画素ＰＥＹの領域に比べると第１の画素ＰＥＸの領域の方が大きい。逆に、法線Ｎを含みＹ方向に切った断面において、許容範囲の色差が得られる視野角は、第１の画素ＰＥＸの領域に比べると第２の画素ＰＥＹの領域の方が大きい。
【００８０】
このため、カラーフィルタが一方向のみに延びるストライプ状であると、延在方向に直交する方向に見る場合の視野角が小さくなってしまうという問題がある。
これに対して、本実施形態の反射型表示パネル１は、着色層がＸ方向に延びる第１のフィルタ部１７Ｘと、Ｙ方向に延びる第２のフィルタ部１７Ｙとが、Ｘ方向およびＹ方向において交互に隣り合って配置されている。すなわち、視野角が大きくなる領域と、視野角が小さくなる領域とが２方向において交互に配列されているため、観察方向の相違による視野角のばらつきが平均化される。
この結果、反射型表示パネル１の色差に関する視野角の偏りが低減される。反射型表示パネル１では、観察方向による色差のばらつきが低減されるため、種々の方向から見ても色差が良好なフルカラー画像を表示することができる。
【００８１】
［第１変形例］
次に、上記第１の実施形態の変形例（第１変形例）の反射型表示装置について説明する。
図５は、本発明の第１の実施形態の変形例（第１変形例）の反射型表示装置の主要部の構成を示す模式的な平面図である。
【００８２】
図５に主要部を示すように、本変形例の反射型表示パネル１Ａ（反射型表示装置）は、上記第１の実施形態の反射型表示パネル１の第１の電極層１１に代えて、第１の電極層１１Ａを備える。
図５には、Ｘ方向に隣り合う一組の第１の画素ＰＥＸおよび第２の画素ＰＥＹのみが図示されているが、第１の画素ＰＥＸおよび第２の画素ＰＥＹの個数および平面視の配列パターンは、上記第１の実施形態と同様である。
以下、上記第１の実施形態と異なる点を中心に説明する。
【００８３】
第１の電極層１１Ａは、上記第１の実施形態における各第１の画素ＰＥＸ（各第２の画素ＰＥＹ）において、第１色用サブ画素電極１１ｃ、第２色用サブ画素電極１１ｍ、および第３色用サブ画素電極１１ｙに代えて、９個のサブ画素電極１１ａを備える。
【００８４】
第１の画素ＰＥＸ（第２の画素ＰＥＹ）において、９個のサブ画素電極１１ａは、３×３の矩形格子状に配列されている。各サブ画素電極１１ａは、四辺がＸ方向またはＹ方向に延びる平面視矩形状に形成されている。ただし、各サブ画素電極１１ａは、例えば、スイッチング素子の配置位置などによっては、矩形の一部に、凹部または凸部が形成された擬似矩形状の形状であってもよい。
第１の画素ＰＥＸ（第２の画素ＰＥＹ）において、Ｘ（Ｙ）方向に並んで配置された３個のサブ画素電極１１ａの３組は、それぞれ、図示上側から下側（左側から右側）に向かって、上記第１の実施形態における第１の画素ＰＥＸ（第２の画素ＰＥＹ）の第１色用サブ画素電極１１ｃ、第２色用サブ画素電極１１ｍ、および第３色用サブ画素電極１１ｙの配置位置に相当する矩形状の領域に配置されている。
以下では、上記第１の実施形態における第１色用サブ画素電極１１ｃ、第２色用サブ画素電極１１ｍ、および第３色用サブ画素電極１１ｙの配置位置に相当する矩形状の領域に配置されたサブ画素電極１１ａの３組を、それぞれ、第１色用サブ画素電極１１Ｃ、第２色用サブ画素電極１１Ｍ、および第３色用サブ画素電極１１Ｙと称する。
【００８５】
第１の画素ＰＥＸ（第２の画素ＰＥＹ）において、Ｘ（Ｙ）方向に配列された３個のサブ画素電極１１ａである第１色用サブ画素電極１１Ｃ、第２色用サブ画素電極１１Ｍ、および第３色用サブ画素電極１１Ｙには、駆動時には、画像表示の際に、いずれも同一の電圧が印加される。
第１の画素ＰＥＸ（第２の画素ＰＥＹ）において、図示上側から下側（左側から右側）に向かって３列に配列された第１色用サブ画素電極１１Ｃ、第２色用サブ画素電極１１Ｍ、および第３色用サブ画素電極１１Ｙには、それぞれ、第１色、第２色、および第３色の色成分の画像信号に対応する電圧が印加される。
このようにして、電圧が印加できれば、各サブ画素電極１１ａは、すべて独立に印加電圧が変えられるスイッチング素子と接続された構成でもよいし、同一の電圧が印加される３個ずつのサブ画素電極１１ａに共通のスイッチング素子が接続された構成でもよい。
【００８６】
このような構成により、本変形例におけるカラーフィルタ層１７の各第１着色層１７ｃ（第２着色層１７ｍ、第３着色層１７ｙ）は、第１色（第２色、第３色）の色成分の画像信号によって駆動される３個のサブ画素電極１１ａと、図示略の光透過層１９を挟んで対向している。
【００８７】
本変形例の反射型表示パネル１Ａは、第１の電極層１１Ａを形成する電極パターンが異なる以外は、上記第１の実施形態の反射型表示パネル１と同様にして製造される。
【００８８】
本変形例の反射型表示パネル１Ａは、第１色（第２色、第３色）を表示するための反射表示層１３の駆動を、３個一組のサブ画素電極１１ａへの電圧印加によって行う点以外は、上記第１の実施形態と全く同様にして、各第１の画素ＰＥＸおよび各第２の画素ＰＥＹにおけるフルカラー表示が行える。
本変形例では、カラーフィルタ層１７の形状および配置は、上記第１の実施形態と同様であるため、上記第１の実施形態と同様に、反射型表示パネル１Ａの色差に関する視野角の偏りが低減される。反射型表示パネル１Ａでは、観察方向による色差のばらつきが低減されるため、種々の方向から見ても色差が良好なフルカラー画像を表示することができる。
【００８９】
［第２変形例］
次に、上記第１の実施形態の変形例（第２変形例）のカラーフィルタおよび反射型表示装置について説明する。
図６は、本発明の第１の実施形態の変形例（第２変形例）の反射型表示装置の主要部の構成を示す模式的な平面図である。
【００９０】
図６に主要部を示すように、本変形例の反射型表示パネル１Ｂ（反射型表示装置）は、上記第１の実施形態の反射型表示パネル１の第１の電極層１１、カラーフィルタ層１７に代えて、それぞれ、第１の電極層１１Ｂ、カラーフィルタ層２７（カラーフィルタ）を備える。
図６には、上記第１の実施形態の図２と同様の範囲の構成が示されている。
以下、上記第１の実施形態と異なる点を中心に説明する。
【００９１】
本変形例における第１の電極層１１Ｂは、上記第１の実施形態における各第１の画素ＰＥＸおよび各第２の画素ＰＥＹの配置位置を変更して構成されている。
図６に示すように、第１の電極層１１Ｂは、Ｘ方向およびＹ方向に２個ずつ配列された４個一組の第１の画素ＰＥＸからなる第１電極部２１Ｘと、Ｘ方向およびＹ方向に２個ずつ配列された４個一組の第２の画素ＰＥＹからなる第２電極部２１Ｙとが、Ｘ方向およびＹ方向に交互に配列されて構成されている。
【００９２】
本実施形態のカラーフィルタであるカラーフィルタ層２７は、第１のフィルタ部２７Ｘと、第２のフィルタ部２７Ｙとが、Ｘ方向およびＹ方向に交互に配置されて構成されている。
第１のフィルタ部２７Ｘ（第２のフィルタ部２７Ｙ）は、図示略の光透過層１９を間に挟んで、第１電極部２１Ｘ（第２電極部２１Ｙ）と対向する位置に配置されている。
【００９３】
第１のフィルタ部２７Ｘは、上記第１の実施形態における第１着色層１７ｃ、第２着色層１７ｍ、および第３着色層１７ｙの長手方向の長さがそれぞれ約２倍に延ばされた第１着色層２７ｃ、第２着色層２７ｍ、および第３着色層２７ｙをそれぞれ２つずつ備える。
第１のフィルタ部２７Ｘにおける各第１着色層２７ｃ（各第２着色層２７ｍ、各第３着色層２７ｙ）は、第１電極部２１ＸにおいてＸ方向に隣り合う２列の第１色用サブ画素電極１１ｃ（第２色用サブ画素電極１１ｍ、第３色用サブ画素電極１１ｙ）と図示略の光透過層１９を挟んで対向するように配置されている。
【００９４】
第２のフィルタ部２７Ｙは、第１のフィルタ部２７Ｘと同様の第１着色層２７ｃ、第２着色層２７ｍ、および第３着色層２７ｙをそれぞれ２つずつ備える。
第２のフィルタ部２７Ｙにおける各第１着色層２７ｃ（各第２着色層２７ｍ、各第３着色層２７ｙ）は、第２電極部２１ＹにおいてＹ方向に隣り合う２列の第１色用サブ画素電極１１ｃ（第２色用サブ画素電極１１ｍ、第３色用サブ画素電極１１ｙ）と図示略の光透過層１９を挟んで対向するように配置されている。
【００９５】
このような構成によって、第１のフィルタ部２７Ｘの各第１着色層２７ｃ（各第２着色層２７ｍ、各第３着色層２７ｙ）は、対向する第１電極部２１ＸにおいてＸ方向に隣り合う各第１の画素ＰＥＸに跨がってＸ方向に延ばされている。
第２のフィルタ部２７Ｙの各第１着色層２７ｃ（各第２着色層２７ｍ、各第３着色層２７ｙ）は、対向する第２電極部２１ＹにおいてＹ方向に隣り合う各第２の画素ＰＥＹに跨がってＹ方向に延ばされている。
【００９６】
本変形例の反射型表示パネル１Ｂは、第１の電極層１１Ｂを形成する電極パターンと、カラーフィルタ層２７を形成するフィルタパターンとが異なる以外は、上記第１の実施形態の反射型表示パネル１と同様にして製造される。
【００９７】
本変形例の反射型表示パネル１Ｂは、上記第１の実施形態と全く同様にして、各第１の画素ＰＥＸおよび各第２の画素ＰＥＹにおけるフルカラー表示が行える。
本変形例では、２×２配列の４つの第１の画素ＰＥＸ（画素群）に対してＸ方向に延びる着色層群で形成された第１のフィルタ部２７Ｘが対向され、２×２配列の４つの第２の画素ＰＥＹ（画素群）に対してＹ方向に延びる着色層群で形成された第２のフィルタ部２７Ｙが対向されている。
このため、フルカラー表示を行う２画素ごとに、着色層が延びる方向がＸ方向とＹ方向とに交替している。
したがって、上記第１の実施形態と同様に、反射型表示パネル１Ｂの色差に関する視野角の偏りが低減される。反射型表示パネル１Ｂでは、観察方向による色差のばらつきが低減されるため、種々の方向から見ても色差が良好なフルカラー画像を表示することができる。
【００９８】
［第３変形例］
次に、上記第１の実施形態の変形例（第３変形例）の反射型表示装置について説明する。
図７は、本発明の第１の実施形態の変形例（第３変形例）の反射型表示装置の主要部の構成を示す模式的な平面図である。
【００９９】
図７に主要部を示すように、本変形例の反射型表示パネル１Ｃ（反射型表示装置）は、上記第１の実施形態の反射型表示パネル１の第１の電極層１１、カラーフィルタ層１７に代えて、それぞれ、第１の電極層１１Ａ、カラーフィルタ層３７（カラーフィルタ）を備える。
図７には、上記第１の実施形態の図２と同様の範囲の構成が示されている。
本変形例は、上記第１変形例と上記第２変形例とを組み合わせた変形例になっている。
以下、上記第１の実施形態、上記第１変形例、および上記第２変形例と異なる点を中心に説明する。
【０１００】
本変形例における第１の電極層１１Ａは、上記第１変形例における第１の電極層１１Ａと同様、各第１の画素ＰＥＸ（各第２の画素ＰＥＹ）において、３×３の矩形格子状に配列された９個のサブ画素電極１１ａを備える。
ただし、図７では、図示の簡略化のため、各サブ画素電極１１ａは、互いに密接して配列しているように描かれている。
第１の画素ＰＥＸ（第２の画素ＰＥＹ）において、Ｘ（Ｙ）方向に並んで配置された３個のサブ画素電極１１ａの３組は、それぞれ、図示上側から下側（左側から右側）に向かって、上記第１変形例と同様、上記第１の実施形態における第１の画素ＰＥＸ（第２の画素ＰＥＹ）の第１色用サブ画素電極１１ｃ、第２色用サブ画素電極１１ｍ、および第３色用サブ画素電極１１ｙの配置位置に相当する矩形状の領域に配置されている。
以下では、上記第１の実施形態における第１色用サブ画素電極１１ｃ、第２色用サブ画素電極１１ｍ、および第３色用サブ画素電極１１ｙの配置位置に相当する矩形状の領域に配置されたサブ画素電極１１ａの３組を、上記第１変形例と同様に、それぞれ、第１色用サブ画素電極１１Ｃ、第２色用サブ画素電極１１Ｍ、および第３色用サブ画素電極１１Ｙと称する。
第１の画素ＰＥＸ（第２の画素ＰＥＹ）において、各サブ画素電極１１ａの構成および画像表示の際に各サブ画素電極１１ａに印加される電圧は上記第１変形例と同様である。
【０１０１】
ただし、上記第１の実施形態および第１変形例では、第１の画素ＰＥＸ、第２の画素ＰＥＹがＸ方向およびＹ方向において交替に配列されていた。これに対して、本変形例では、Ｘ方句およびＹ方向において、同種の画素が２つずつ隣り合うように配置されている。すなわち、「…、ＰＥＸ、ＰＥＸ、ＰＥＹ、ＰＥＹ、…」のような配列の繰り返しになっている。
このような配列を有する点では、本変形例は、上記第２変形例における第１の画素ＰＥＸ、第２の画素ＰＥＹの配列と同様である。ただし、上記第２変形例では、２×２の格子状に配列された４つの第１の画素ＰＥＸの繰り返し単位（第１電極部２１Ｘ）と、２×２の格子状に配列された４つの第２の画素ＰＥＹの繰り返し単位（第２電極部２１Ｙ）とが、Ｘ方向およびＹ方向に交互に配列されていた。これに対して、本変形例では、２×２の格子状に配列された３つの第１の画素ＰＥＸおよび１つの第２の画素ＰＥＹからなる繰り返し単位と、２×２の格子状に配列された１つの第１の画素ＰＥＸおよび３つの第２の画素ＰＥＹからなる繰り返し単位とが、Ｘ方向およびＹ方向に交互に配列されている。
このため、本変形例では、第１の画素ＰＥＸ、第２の画素ＰＥＹは、図示右下がりの斜め４５度に延びる線上に沿って同種同士が隣り合って配列され、図示左下がりの斜め４５度に延びる線上に沿って交互に配列されている。
また図示は省略するが、本変形例においては、図７の配列パターンが左右反転された配列が用いられてもよい。すなわち、第１の画素ＰＥＸ、第２の画素ＰＥＹは、図示右下がりの斜め４５度に延びる線上に沿って交互に配列され、図示左下がりの斜め４５度に延びる線上に沿って同種同士が隣り合って配列されてもよい。
さらに、これらの斜め方向の配列が４５度に延びる線上に現れるのは一例である。図７では、各画素が正方形として描かれているため、対角方向の斜め４５度において斜め方向の配列が形成されている。斜めの配列方向は、各画素の対角方向に応じて４５度以外の角度に延びる線に沿っていてもよい。
【０１０２】
本変形例のカラーフィルタであるカラーフィルタ層３７は、複数の第１のフィルタ部３７Ｘと、複数の第２のフィルタ部３７Ｙとを備える。
各第１のフィルタ部３７Ｘは、Ｘ方向に隣り合う２つの第１の画素ＰＥＸに重なる位置に、図示略の光透過層１９を挟んで配置されている。
各第１のフィルタ部３７Ｘは、上記第２変形例におけると同様の第１着色層２７ｃ、第２着色層２７ｍ、および第３着色層２７ｙを備える。
第１のフィルタ部３７Ｘにおける第１着色層２７ｃ、第２着色層２７ｍ、および第３着色層２７ｙは、それぞれＸ方向に隣り合う２つの第１の画素ＰＥＸにおける各第１色用サブ画素電極１１Ｃ、各第２色用サブ画素電極１１Ｍ、および各第３色用サブ画素電極１１Ｙと対向する位置に配置されている。
各第２のフィルタ部３７Ｙは、Ｙ方向に隣り合う２つの第２の画素ＰＥＹに重なる位置に、図示略の光透過層１９を挟んで配置されている。
各第２のフィルタ部３７Ｙは、上記第２変形例におけると同様の第１着色層２７ｃ、第２着色層２７ｍ、および第３着色層２７ｙを備える。
第２のフィルタ部３７Ｙにおける第１着色層２７ｃ、第２着色層２７ｍ、および第３着色層２７ｙは、それぞれＹ方向に隣り合う２つの第２の画素ＰＥＹにおける各第１色用サブ画素電極１１Ｃ、各第２色用サブ画素電極１１Ｍ、および各第３色用サブ画素電極１１Ｙと対向する位置に配置されている。
【０１０３】
このような構成により、本変形例におけるカラーフィルタ層３７の各第１着色層２７ｃ（第２着色層２７ｍ、第３着色層２７ｙ）は、第１色（第２色、第３色）の色成分の画像信号によって駆動される３個のサブ画素電極１１ａと、図示略の光透過層１９を挟んで対向している。
【０１０４】
本実施形態のカラーフィルタであるカラーフィルタ層３７は、第１のフィルタ部３７Ｘと、第２のフィルタ部３７Ｙとが、規則的に繰り返し配置されて構成されている。
特に、第１のフィルタ部３７Ｘ（第２のフィルタ部３７Ｙ）は、Ｘ方向（Ｙ方向）においては単独で、Ｙ方向（Ｘ方向）においてはＹ方向（Ｘ方向）に隣り合う２つによって、それぞれＸ方向に隣り合う２つの第１の画素ＰＥＸ（第２の画素ＰＥＹ）と、Ｙ方向に隣り合う２つの２つの第１の画素ＰＥＸ（第２の画素ＰＥＹ）とを覆っている。
このため、カラーフィルタ層３７においても、上記第２変形例と同様に、フルカラー表示を行う２画素ごとに、着色層が延びる方向がＸ方向とＹ方向とに交替している。
【０１０５】
本変形例の反射型表示パネル１Ｃは、第１の電極層１１Ａを形成する電極パターンと、カラーフィルタ層３７を形成するフィルタパターンとが異なる以外は、上記第１の実施形態の反射型表示パネル１と同様にして製造される。
【０１０６】
本変形例の反射型表示パネル１Ｃは、第１色（第２色、第３色）を表示するための反射表示層１３の駆動を、各画素における３個一組のサブ画素電極１１ａである第１色用サブ画素電極１１Ｃ（第２色用サブ画素電極１１Ｍ、第３色用サブ画素電極１１Ｙ）への電圧印加によって行う点以外は、上記第１の実施形態と全く同様にして、各第１の画素ＰＥＸおよび各第２の画素ＰＥＹにおけるフルカラー表示が行える。
本変形例では、カラーフィルタ層３７は、Ｘ方向に隣り合う２つの第１の画素ＰＥＸ（２×１配列の画素群）と、Ｙ方向に隣り合う２つの第１の画素ＰＥＸ（１×２配列の画素群）とに、それぞれＸ方向に延びる着色層群で形成された第１のフィルタ部３７Ｘが対向している。同様に、Ｘ方向に隣り合う２つの第２の画素ＰＥＹ（２×１配列の画素群）と、Ｙ方向に隣り合う２つの第２の画素ＰＥＸ（１×２配列の画素群）とに、それぞれＹ方向に延びる着色層群で形成された第２のフィルタ部３７Ｙが対向している。
このため、フルカラー表示を行う２画素ごとに、着色層が延びる方向がＸ方向とＹ方向とに交替している。
したがって、上記第２変形例と同様に、反射型表示パネル１Ｃの色差に関する視野角の偏りが低減される。反射型表示パネル１Ｃでは、観察方向による色差のばらつきが低減されるため、種々の方向から見ても色差が良好なフルカラー画像を表示することができる。
特に、本変形例では、着色層の延びる方向が交替する単位が、２×１（１×２）となり、２×２の上記第２変形例よりも小さいため、色差の抑制効果が向上する。
【０１０７】
［第４変形例］
次に、上記第１の実施形態の変形例（第４変形例）の反射型表示装置について説明する。
図８は、本発明の第１の実施形態の変形例（第４変形例）の反射型表示装置の主要部の構成を示す模式的な平面図である。
【０１０８】
図８に主要部を示すように、本変形例の反射型表示パネル１Ｄ（反射型表示装置）は、上記第１の実施形態の反射型表示パネル１の第１の電極層１１、カラーフィルタ層１７に代えて、それぞれ、第１の電極層１１Ａ、カラーフィルタ層４７（カラーフィルタ）を備える。
図８には、フルカラー表示を行う画素が３×３の格子状に配列された範囲の構成が示されている。
以下、上記第１の実施形態と異なる点を中心に説明する。
【０１０９】
本変形例における第１の電極層１１Ａは、上記第１変形例における第１の電極層１１Ａと同様のサブ画素電極１１ａが矩形格子状に配列して構成されている。ただし、図８では、図示の簡略化のため、各サブ画素電極１１ａは、互いに密接して配列しているように描かれている。
本変形例における第１の電極層１１Ａは、上記第１変形例とは異なり、各第１の画素ＰＥＸ（各第２の画素ＰＥＹ）において、４×４の矩形格子状に配列された１６個のサブ画素電極１１ａを備える。
本変形例の第１の画素ＰＥＸ、第２の画素ＰＥＹは、サブ画素電極の構成数が異なるが、上記第１の実施形態と同様、Ｘ方向およびＹ方向において交互に配列されている。
【０１１０】
本変形例の第１の画素ＰＥＸ（第２の画素ＰＥＹ）において、Ｘ（Ｙ）方向に並んで配置された４個のサブ画素電極１１ａの４組は、それぞれ、図示上側から下側（左側から右側）に向かって、第１色用サブ画素電極４１Ｃ、第２色用サブ画素電極４１Ｍ、第３色用サブ画素電極４１Ｙ、および第４色用サブ画素電極４１Ｗを構成する。
第１の画素ＰＥＸ（第２の画素ＰＥＹ）において、各サブ画素電極１１ａの構成は上記第１変形例と同様である。
【０１１１】
第１色用サブ画素電極４１Ｃ、第２色用サブ画素電極４１Ｍ、および第３色用サブ画素電極４１Ｙには、画像信号に応じて、第１色成分、第２色成分、第３色成分を表示するための駆動電圧が印加される。
第４色用サブ画素電極４１Ｗには、画像信号に応じて、第４色成分を表示するための駆動電圧が印加される。第４色は、第１色〜第３色以外の色であってもよいし、第１色〜第３色に組み合わせる無彩色であってもよい。
本変形例では、一例として、第４色が無彩色の場合の例で説明する。
第１の画素ＰＥＸ（第２の画素ＰＥＹ）において、Ｘ（Ｙ）方向に配列された４個のサブ画素電極１１ａである第１色用サブ画素電極４１Ｃ（第２色用サブ画素電極４１Ｍ、第３色用サブ画素電極４１Ｙ、第４色用サブ画素電極４１Ｗ）には、第１色（第２色、第３色、第４色）成分に対応する画像信号に対応する同一の電圧が印加される。
【０１１２】
本変形例のカラーフィルタであるカラーフィルタ層４７は、複数の第１のフィルタ部４７Ｘと、複数の第２のフィルタ部４７Ｙとを備える。
各第１のフィルタ部４７Ｘは、第１の画素ＰＥＸに重なる位置に、図示略の光透過層１９を挟んで配置されている。
各第１のフィルタ部４７Ｘは、上記第２変形例における第１着色層２７ｃ、第２着色層２７ｍ、および第３着色層２７ｙと長さのみが異なる第１着色層４７ｃ、第２着色層４７ｍ、および第３着色層４７ｙを備える。
第１のフィルタ部４７Ｘにおける第１着色層４７ｃ、第２着色層４７ｍ、および第３着色層４７ｙは、それぞれ、第１の画素ＰＥＸにおける第１色用サブ画素電極４１Ｃ、各第２色用サブ画素電極４１Ｍ、および各第３色用サブ画素電極４１Ｙと対向する位置に配置されている。
本変形例の場合、第４色は無彩色であるため、各第１のフィルタ部４７Ｘにおいて、第４色用サブ画素電極４１Ｗと対向する領域は、着色層が配置されていない非着色領域４７ｗとされている。ただし、第４色が無彩色以外の場合には、第４色用サブ画素電極４１Ｗと対向する位置に、第４色波長成分を透過する第４着色層（図示略）が配置される。
同様に、各第２のフィルタ部４７Ｙは、Ｙ方向に延びる第１着色層４７ｃ、第２着色層４７ｍ、第３着色層４７ｙ、および非着色領域４７ｗを備える。
第２のフィルタ部４７Ｙにおける第１着色層４７ｃ、第２着色層４７ｍ、第３着色層４７ｙ、および非着色領域４７ｗは、それぞれ、第２の画素ＰＥＹにおける第１色用サブ画素電極４１Ｃ、第２色用サブ画素電極４１Ｍ、第３色用サブ画素電極４１Ｙ、および第４色用サブ画素電極４１Ｗと対向する位置に配置されている。
【０１１３】
このような構成により、本変形例におけるカラーフィルタ層４７の各第１着色層４７ｃ（第２着色層４７ｍ、第３着色層４７ｙ、非着色部領域４７ｗ）は、第１色（第２色、第３色、第４色）の色成分の画像信号によって駆動される４個のサブ画素電極１１ａと、図示略の光透過層１９を挟んで対向している。
【０１１４】
本変形例の反射型表示パネル１Ｄは、第１の電極層１１Ａを形成する電極パターンと、カラーフィルタ層４７を形成するカラーフィルタパターンとが異なる以外は、上記第１の実施形態の反射型表示パネル１と同様にして製造される。
【０１１５】
本変形例の反射型表示パネル１Ｄは、第１色（第２色、第３色、第４色）を表示するための反射表示層１３の駆動を、各画素における４個一組のサブ画素電極１１ａである第１色用サブ画素電極４１Ｃ（第２色用サブ画素電極４１Ｍ、第３色用サブ画素電極４１Ｙ、第４色用サブ画素電極４１Ｗ）への電圧印加によって行う点以外は、上記第１の実施形態と全く同様にして、各第１の画素ＰＥＸおよび各第２の画素ＰＥＹにおけるフルカラー表示が行える。
本変形例では、第１の電極層１１Ａが各画素において第４色用サブ画素電極４１Ｗを備える。このために第１色〜第４色を用いて表示が行われる以外は、上記第１の実施形態と同様にしてフルカラー表示が行われる。このため、上記第１の実施形態と同様に、反射型表示パネル１Ｄの色差に関する視野角の偏りが低減される。反射型表示パネル１Ｄでは、観察方向による色差のばらつきが低減されるため、種々の方向から見ても色差が良好なフルカラー画像を表示することができる。
特に、本変形例の反射型表示パネル１Ｄにおいて、第４色用サブ画素電極４１Ｗに対向して非着色領域４７ｗを備える場合には、第４色用サブ画素電極４１Ｗを駆動することによって、より明るいフルカラー表示を行うことができる。
【０１１６】
［第２の実施形態］
次に、本発明の第２の実施形態の変形例（第２変形例）のカラーフィルタおよび反射型表示装置について説明する。
図９は、本発明の第２の実施形態の反射型表示装置の主要部の構成を示す模式的な平面図である。
【０１１７】
図９に主要部を示すように、本実施形態の反射型表示パネル１Ｅ（反射型表示装置）は、上記第１の実施形態の反射型表示パネル１の第１の電極層１１、カラーフィルタ層１７に代えて、それぞれ、第１の電極層３１、カラーフィルタ層５７（カラーフィルタ）を備える。
図９には、上記第１の実施形態の図２と同様の画素数の範囲の構成が示されている。
以下、上記第１の実施形態と異なる点を中心に説明する。
【０１１８】
本実施形態の反射型表示パネル１Ｅは、上記第１の実施形態の反射型表示パネル１が３色の組み合わせによってフルカラー表示を行うのに対して、２色の組み合わせによってカラー表示（以下、ダブルカラー表示と表記する）を行う点が異なる。
反射型表示パネル１Ｅは、ダブルカラー表示を行うため、駆動電極の数、着色層の種類が３種類から２種類に減っている以外は、上記第１の実施形態と同様の構成を備える。
【０１１９】
ダブルカラー表示に用いる２色を以下、第１色、第２色と称するが、上記第１の実施形態における第１色、第２色とは異なっていてもよい。
ダブルカラー表示に用いる２色の例としては、例えば、赤とシアン、マゼンタと緑、黄と青、オレンジと緑などの例を挙げることができる。ただし、２色は、これらの組み合わせに限定されることはない。ダブルカラー表示における２色は、表示色の色相に応じた適宜の２色の組み合わせが用いられてよい。
【０１２０】
第１の電極層３１は、上記第１の実施形態における第１の電極層１１の第１色用サブ画素電極１１ｃ、第２色用サブ画素電極１１ｍ、第３色用サブ画素電極１１ｙに代えて、第１色用サブ画素電極３１ｃ、第２色用サブ画素電極３１ｍを備える。
第１色用サブ画素電極３１ｃ、第２色用サブ画素電極３１ｍは、ダブルカラー表示に用いる第１色、第２色の階調を制御するために、反射表示層１３を駆動する駆動電圧をそれぞれ予め決められた領域に印加する駆動電極である。
第１色用サブ画素電極３１ｃおよび第２色用サブ画素電極３１ｍの平面視の外形は、上記第１の実施形態における第１色用サブ画素電極１１ｃ等と同様、いずれも一方向に長く延びた矩形状である。
【０１２１】
第１の電極層３１は、上記第１の実施形態における第１の画素ＰＥＸ、第２の画素ＰＥＹと同様、Ｘ方向およびＹ方向に交替に配置された複数の第１の画素ＱＥＸ、第２の画素ＱＥＹを備える。
第１の画素ＱＥＸ（第２の画素ＱＥＹ）は、図示略の基板１０上の矩形状の領域に、第１色用サブ画素電極３１ｃおよび第２色用サブ画素電極３１ｍが、それぞれの長手方向をＸ（Ｙ）方向に揃えた状態で、Ｙ（Ｘ）方向に１つずつ配列されて構成されている。
【０１２２】
カラーフィルタ層５７は、第１のフィルタ部５７Ｘと、第２のフィルタ部５７Ｙとが、Ｘ方向およびＹ方向に交互に配置されて構成されている。
第１のフィルタ部５７Ｘは、第１色の波長成分のみを透過する平面視矩形状の第１着色層５７ｃと、第２色の波長成分のみを透過する平面視矩形状の第２着色層５７ｍとが、Ｘ方向を長手方向として延びている。
第１のフィルタ部５７Ｘにおける第１着色層５７ｃおよび第２着色層５７ｍは、それぞれ、第１の画素ＱＥＸにおける第１色用サブ画素電極３１ｃおよび第２色用サブ画素電極３１ｍと重なるように配置されている。
第２のフィルタ部５７Ｙは、第１のフィルタ部５７Ｘと同様の第１着色層５７ｃおよび第２着色層５７ｍが、Ｙ方向を長手方向として延びている。
第２のフィルタ部５７Ｙにおける第１着色層５７ｃおよび第２着色層５７ｍは、それぞれ、第２の画素ＱＥＹにおける第１色用サブ画素電極３１ｃおよび第２色用サブ画素電極３１ｍと重なるように配置されている。
【０１２３】
本実施形態の反射型表示パネル１Ｅは、各第１の画素ＱＥＸ、各第２の画素ＱＥＹの第１色用サブ画素電極３１ｃおよび第２色用サブ画素電極３１ｍに画像信号に応じて電圧が印加されることによって、ダブルカラー表示が行われる。
反射型表示パネル１Ｅは、駆動電極の種類、着色層の種類が３種類から２種類に減っている以外は、上記第１の実施形態と同様の構成を備えるため、上記第１の実施形態と同様の作用を備える。
すなわち、反射型表示パネル１Ｅの色差の視野角の偏りが低減される。反射型表示パネル１Ｅでは、観察方向による色差のばらつきが低減されるため、種々の方向から見ても色差が良好なカラー画像を表示することができる。
【０１２４】
なお、上記各実施形態の説明では、各画素に対応するカラーフィルタの着色層の配置位置は、着色層の長手方向が第１の方向であるか第２の方向であるかの相違しかない場合の例で説明した。しかし、各画素に対応するカラーフィルタの着色層の配置は、画素ごとに長手方向の向き以外の配置パターンが変更されてもよい。
例えば、各着色層の短手方向における配列順序は、画素位置によって変更されてもよい。
【０１２５】
上記第１変形例の説明では、第１の画素ＰＥＸ（第２の画素ＰＥＹ）において、Ｘ（Ｙ）方向に配列された３個のサブ画素電極１１ａは、駆動時には、画像表示の際に、いずれも同一の電圧が印加されるとして説明した。しかし、各サブ画素電極１１ａがすべて独立に印加電圧が変えられるスイッチング素子と接続された構成では、３個のサブ画素電極１１ａに異なる電圧が印加されてもよい。すなわち、１つの着色層に対向する反射表示層１３の反射率を部分的に変えることを含めた階調制御が行われてもよい。
【０１２６】
上記各実施形態、各変形例の説明では、第１の方向と第２の方向とが直交している場合の例で説明した。しかし、第１の方向と第２の方向とは、９０°以外の角度で交差していてもよい。
【０１２７】
上記各実施形態、各変形例の説明では、第１のフィルタ部と第２のフィルタ部とが、それぞれ矩形状の領域に形成されている場合の例で説明した。しかし、第１のフィルタ部と第２のフィルタ部とは、平面を埋めることができる形状であれば、矩形以外の領域に形成されていてもよい。
【０１２８】
上記各実施形態、各変形例の説明では、第１のフィルタ部と第２のフィルタ部とが、第１の方向および第２の方向において、交互に配置されている場合の例で説明した。しかし、第１のフィルタ部と第２のフィルタ部とは、カラーフィルタの全体の中で平均的に交互に出現していればよく、厳密に交互に配置されていなくてもよい。例えば、第１のフィルタ部と第２のフィルタ部とは、適宜の規則的または不規則的なパターンに配列されることで、平均的に交互に現れるように配置されてもよい。
【０１２９】
上記第３変形例、第４変形例の説明では、第１の電極層１１Ａが用いられた場合の例で説明したが、これらの第１の電極層１１Ａは、上記第１変形例における第１の電極層１１Ｂと同様、矩形状のサブ画素電極を各着色層の配置に合わせて配列した構成が用いられてもよい。
【０１３０】
上記各実施形態、各変形例の説明では、カラーフィルタが反射型表示装置に用いられる場合の例で説明したが、本発明のカラーフィルタは、例えば、単体で使用されてもよいし、反射型表示装置以外の表示装置に用いられてもよい。
【実施例】
【０１３１】
以下、上記各実施形態のカラーフィルタおよび反射型表示装置の実施例１、２について、比較例１〜３とともに説明する。
下記［表１］に、実施例１、２、比較例１〜３の構成と評価結果とを示す。
【０１３２】
【表１】
2018022063.tif 000003
【０１３３】
［実施例１］
［表１］に示す実施例１は、上記第１の実施形態のカラーフィルタ層１７を備えた反射型表示パネル１の実施例である。すなわち、フルカラー表示を行うためストライプ状の着色層がＸ方向およびＹ方向に交互に配列されたカラーフィルタを備える反射型表示装置の実施例である。
実施例１のカラーフィルタ層１７および反射型表示パネル１は、以下のようにして製造された。
【０１３４】
ＰＥＴからなる基材１５上に、酸化インジウム錫（ＩＴＯ）からなる第２の電極層１４と、電気泳動表示媒体からなる反射表示層１３とがこの順に積層されることで、第１の積層体が形成された。
この後、ガラスからなる基板１０上に、ＩＴＯからなる第１の電極層１１が形成された。第１の電極層１１上に、透明アクリル粘着剤からなる接着層１２を介して、反射表示層１３が貼り合わされた。
この状態の基材１５上に、ポリエステル樹脂系のインクジェット受容層用樹脂ＮＳ−１４１ＬＸ（商品名；高松油脂（株）製）がコンマコーターを用いて連続塗工された。
この後、インクジェット受容層用樹脂が減圧乾燥機にて５分乾燥された。これにより、平均膜厚１０μｍのインク定着層１６が形成された。
【０１３５】
第１の電極層１１の各第１の画素ＰＥＸおよび各第２の画素ＰＥＹにおいて、Ｘ方向の幅は、６００μｍ、Ｙ方向の幅は、６００μｍとされた。
第２の電極層１４、基材１５、インク定着層１６の材質および層厚は、光透過層１９としての光学的距離は、１００μｍとなるように選ばれた。
【０１３６】
カラーフィルタ層１７を形成するインクは、以下のようにして製造された。
本実施例では、第１色にはシアン（以下、Ｃ）、第２色にはマゼンタ（以下、Ｍ）、第３色にはイエロー（以下、Ｙ）が用いられた。
まず、下記［表２］に示すように、Ｃ、Ｍ、Ｙの着色剤を含むシアン（Ｙ）分散液、マゼンタ（Ｍ）分散液、イエロー（Ｙ）分散液がそれぞれ作製された。
【０１３７】
【表２】
2018022063.tif 000004
【０１３８】
［表２］に示すように、Ｃ分散液は、７０重量部のジエチレングリコールモノエチルエーテルアセテート（Diethylene Glycol Monoethyl Ether Acetate、以下、ＤＧＭＥＡと略記する）に、１０重量部の分散剤と、２０重量部のＣ色の顔料とが混合された。
分散剤としては、ＤＩＳＰＥＲ  ＢＹＫ（登録商標）−１１１（商品名；ビックケミ−社製）が用いられた。顔料としては、Ｃ．Ｉ．Ｐｉｇｍｅｎｔ  Ｂｌｕｅ  １５：３が用いられた。
この混合液において顔料を充分に分散させるために、ビーズミル分散の分散機が用いられた。このようにして、Ｃ分散液が作製された。
Ｍ分散液は、Ｃ分散液における分散剤、顔料が、それぞれ、ソルスパース（登録商標）２００００(商品名；リューブリゾル社製）、Ｃ．Ｉ．Ｐｉｇｍｅｎｔ  Ｒｅｄ  １２２に変更された以外は、Ｃ分散液と同様にして作製された。
Ｙ分散液は、Ｍ分散液の顔料がＣ．Ｉ．Ｐｉｇｍｅｎｔ  Ｙｅｌｌｏｗ  １５０に変更された以外は、Ｍ分散液と同様にして作製された。
【０１３９】
得られたＣ分散液、Ｍ分散液、Ｙ分散液に、それぞれ、バインダー樹脂と、溶剤と加えてよく攪拌することで、シアン（Ｃ）インク、マゼンタ（Ｍ）インク、イエロー（Ｙ）インクが作製された。各インクの組成を下記［表３］に示す。
【０１４０】
【表３】
2018022063.tif 000005
【０１４１】
［表３］に示すように、Ｃインクは、２０重量部のＣ分散液と、メラミン樹脂からなる２０重量部のバインダー樹脂と、６０重量部の有機溶剤であるＤＧＭＥＡとによって作製された。
メラミン樹脂は、ＭＷ−２２（商品名；（株）三和ケミカル製）が用いられた。
Ｍインク、Ｙインクは、ＣインクにおけるＣ分散液が、それぞれＭ分散液、Ｙ分散液に変更された以外は、Ｃインクと同様にして作製された。
【０１４２】
この後、インク定着層１６上に、作製されたＣインク、Ｍインク、Ｙインクをインクジェット印刷装置によって描画することで、それぞれ、第１着色層１７ｃ、第２着色層１７ｍ、第３着色層１７ｙのパターンが塗工された。
インクジェット印刷装置としては、セイコーインスツルメンツ（株）製の１２ｐｌ、１８０ｄｐｉ（２．５４ｃｍ当たり１８０ドット）のインクジェットヘッドが搭載されたインクジェット印刷装置が用いられた。
各着色層は、長手方向の幅は、５９０μｍ、短手方向の幅は、１９０μｍとされた。互いに隣り合う第１のフィルタ部１７Ｘと第２のフィルタ部１７Ｙとの配列ピッチは、互いに隣り合う第１の画素ＰＥＸおよび第２の画素ＰＥＹの配列ピッチに合わされた。このため、着色部面積率は、９３．４％であった。
塗工されたインクは、減圧乾燥機にて５分乾燥された。これにより、カラーフィルタ層１７が形成された。
【０１４３】
この後、カラーフィルタ層１７の上に、ポリイミドからなる保護層１８が積層された。
このようにして、上記第１の実施形態の実施例１が製造された。
【０１４４】
［実施例２］
［表１］に示す実施例２は、上記第２の実施形態のカラーフィルタ層５７を備えた反射型表示パネル１Ｅの実施例である。すなわち、ダブルカラー表示を行うためストライプ状の着色層がＸ方向およびＹ方向に交互に配列されたカラーフィルタを備える反射型表示装置の実施例である。
実施例２の反射型表示パネル１Ｅでは、第１の電極層３１の各第１の画素ＱＥＸおよび各第２の画素ＱＥＹの大きさは、実施例１における各第１の画素ＰＥＸおよび各第２の画素ＰＥＹの大きさに合わされた。
各着色層は、長手方向の幅は、３９０μｍ、短手方向の幅は、１９０μｍとされた。このため、着色部面積率は、９２．６％であった。
【０１４５】
［比較例１〜３］
［表１］に示す比較例１は、上記実施例１の第１のフィルタ部１７Ｘと同様な配列の３色の着色層がＸ方向のみに延ばされたストライプ状のカラーフィルタがＹ方向において等ピッチで配列された以外は、実施例１と同様のフルカラー表示の反射型表示装置である。
［表１］に示す比較例２は、上記実施例１の第２のフィルタ部１７Ｙと同様な配列の３色の着色層がＹ方向のみに延ばされたストライプ状のカラーフィルタがＸ方向において等ピッチで配列された以外は、実施例１と同様のフルカラー表示の反射型表示装置である。
［表１］に示す比較例３は、上記実施例２の第１のフィルタ部５７Ｘと同様な配列の２色の着色層がＸ方向のみに延ばされたストライプ状のカラーフィルタがＹ方向において等ピッチで配列された以外は、実施例２と同様のダブルカラー表示の反射型表示装置である。
【０１４６】
［評価］
実施例１、２、比較例１〜３の反射型表示装置の評価は、以下のようにして測定された色差の視野角特性によって行われた。
作製された反射型表示装置によって、マゼンタ色を表示させた状態で、正面（法線方向）から見た表示色と、Ｘ方向およびＹ方向のそれぞれにおいて、法線に対して±４５°傾斜した方向から見た表示色との色差（ΔＥ＊ａｂ）が、分光光度計によって測定された。
ここで、「−４５°」の傾斜方向とは、各画素にてＸ（Ｙ）方向に並ぶ各着色層の配列において、マゼンタ（第２色）側からシアン（第１色）側に傾斜する方向である。例えば、Ｘ（Ｙ）方向における−４５°の傾斜方向（［表１］の計測方向欄には「Ｘ−（Ｙ−）」と記載）とは、図２、図７において、Ｘ（Ｙ）方向の矢印に沿って、図示左（上）側から右（下）側に向く４５°方向から測定したことを意味する。「＋４５°」の傾斜方向（［表１］の計測方向欄には「Ｘ＋（Ｙ＋）」と記載）は、「−４５°」の逆方向である。
色差（ΔＥ＊ａｂ）の判定は、ΔＥ＊ａｂ≦３の場合に良い（ｇｏｏｄ、［表１］の判定欄では「○」）、ΔＥ＊ａｂ＞３の場合に不良（ｎｏ  ｇｏｏｄ、［表１］の判定欄では「×」）とされた。
色差判定が「良い」とは、ΔＥ＊ａｂの閾値を３として、測定方向における視野角が４５°以上であることを意味する。色差判定が「不良」とは、ΔＥ＊ａｂの閾値を３として、測定方向における視野角が４５°未満であることを意味する。
総合判定としては、Ｘ−、Ｘ＋、Ｙ−、Ｙ＋におけるすべての色差が良いと判定された場合に良い（ｇｏｏｄ、［表１］の判定欄では「○」）、Ｘ−、Ｘ＋、Ｙ−、Ｙ＋におけるいずれかの色差が不良と判定された場合に不良（ｎｏ  ｇｏｏｄ、［表１］の判定欄では「×」）とされた。
【０１４７】
［評価結果］
［表１］に各実施例、各比較例における各計測方向における色差ΔＥ＊ａｂの測定値、判定結果、総合判定結果を示す。
実施例１、２では、各計測方向において、すべての色差が３以下となり、色差は「良い」と判定され、総合判定も「良い」であった。さらに、Ｘ方向の色差とＹ方向の色差との差（Ｘ−とＹ−との差、Ｘ＋とＹ＋との差）は、実施例１が０．２〜０．４、実施例２が０．２〜０．９と、いずれも３よりも小さかった。
これに対して、比較例１、２では、計測方向が着色層の長手方向である場合には、３未満であり、「良い」と判定された、これらの色差は、フルカラー表示の実施例１の同方向の色差よりもさらに小さくなっていた。
しかし、計測方向が着色層の配列方向（短手方向）である場合には、色差は、７．２〜８．８となり、３を大きく超えていたため、「不良」と判定された。
したがって、総合判定としては、「不良」であった。特に、Ｘ方向の色差とＹ方向の色差との差も、３を大きく超えており、色差の偏差もきわめて大きかった。
比較例３では、計測方向が着色層の長手方向であるＸ方向の場合、「良い」と判定された。この色差は、ダブルカラー表示の実施例２の同方向の色差と同じであった。
しかし、計測方向が着色層の配列方向（短手方向）である場合には、色差は、８．７、８．５となり、３を大きく超えていたため、「不良」と判定された。
したがって、総合判定としては、「不良」であった。
【０１４８】
比較例１〜３のように、ストライプ状の着色層が一方向のみに延ばされている場合、これと直交する方向から見ると、色差が悪化し視野角が狭くなっていることが分かる。
これに対して、実施例１、２では、着色層の長手方向が交互に交替しているため、着色層の方向性が緩和され、計測方向によって大きく色差が悪化することがなくなる。このため、視野角の偏りが抑制され、視野角特性が改善されていることが分かる。
【０１４９】
以上、本発明の好ましい各実施形態、各変形例を各実施例とともに説明したが、本発明はこれら実施形態、変形例および実施例に限定されることはない。本発明の趣旨を逸脱しない範囲で、構成の付加、省略、置換、およびその他の変更が可能である。
また、本発明は前述した説明によって限定されることはなく、添付の特許請求の範囲によってのみ限定される。
【符号の説明】
【０１５０】
１、１Ａ、１Ｂ、１Ｃ、１Ｄ、１Ｅ  反射型表示パネル（反射型表示装置）
１１、１１Ａ、１１Ｂ、３１  第１の電極層
１１ａ  サブ画素電極
１１ｃ、１１Ｃ、３１ｃ、４１Ｃ  第１色用サブ画素電極
１１ｍ、１１Ｍ、３１ｍ、４１Ｍ  第２色用サブ画素電極
１１ｙ、１１Ｙ、４１Ｙ  第３色用サブ画素電極
４１Ｗ  第４色用サブ画素電極
１３  反射表示層（複数の反射型表示部）
１３Ｂ  黒色部
１３Ｗ  白色部
１４  第２の電極層
１６  インク定着層
１７、２７、３７、４７、５７  カラーフィルタ層（カラーフィルタ）
１９  光透過層
１７ｃ、２７ｃ、３７ｃ、４７ｃ、５７ｃ  第１着色層
１７ｍ、２７ｍ、３７ｍ、４７ｍ、５７ｍ  第２着色層
１７ｙ、２７ｙ、４７ｙ  第３着色層
１７Ｘ、２７Ｘ、３７Ｘ、４７Ｘ、５７Ｘ  第１のフィルタ部
１７Ｙ、２７Ｙ、３７Ｙ、４７Ｙ、５７Ｙ  第２のフィルタ部
２１Ｘ  第１電極部
２１Ｙ  第２電極部
４７ｗ  非着色部領域
Ｌ０、Ｌ１、Ｌ２、Ｌ１１、Ｌ１２  入射光
Ｌ０’、Ｌ１’、Ｌ２’、Ｌ１１’、Ｌ１２’  出射光
Ｎ  法線
ＰＥＸ、ＱＥＸ  第１の画素
ＰＥＹ、ＱＥＹ  第２の画素
【図１】
2018022063.tif 000006
【図２】
2018022063.tif 000007
【図３】
2018022063.tif 000008
【図４】
2018022063.tif 000009
【図５】
2018022063.tif 000010
【図６】
2018022063.tif 000011
【図７】
2018022063.tif 000012
【図８】
2018022063.tif 000013
【図９】
2018022063.tif 000014